(57)【特許請求の範囲】
【請求項１】
遊技機の盤面に設けられた基台と、この基台に昇降可能に支持された駆動体と、前記基台に回転可能に支持された一対の回動リンクと、カム溝を有するスライド部材と、このスライド部材を前記駆動体の昇降方向に対して略直交方向へ往復移動させる駆動源とを備え、
前記駆動体の一端部に設けた突起を前記カム溝に係合すると共に、前記駆動体の他端部に前記両回動リンクを回動可能に連結したことを特徴とする遊技機の演出装置。
【請求項２】
請求項１の記載において、前記両回動リンクは前記駆動体を介して対向する位置で前記基台に回転可能に軸支されており、これら両回動リンクの一端側に設けられた突出片を前記駆動体に同一線上で軸支することにより、前記駆動体の昇降動作に伴って前記両回動リンクの他端側が近接離反するように開閉動作することを特徴とする遊技機の演出装置。
【請求項３】
請求項１の記載において、前記基台が互いに略直交する方向へ延びる第１および第２のガイド孔を有し、前記駆動体が前記第１のガイド孔に挿入されると共に、前記スライド部材が前記第２のガイド孔に挿入されていることを特徴とする遊技機の演出装置。
【請求項４】
請求項１の記載において、前記スライド部材の側方に前記駆動源であるモータを配置すると共に、前記スライド部材にその移動方向へ延びるラックを設け、前記モータによって回転されるピニオンを前記ラックに噛合させたことを特徴とする遊技機の演出装置。
【請求項５】
請求項１〜４のいずれか１項の記載において、前記両回動リンクに蝶の羽根を模した光透過性シートを付設すると共に、前記遊技機の盤面に前記光透過性シートに光を照射する光源を配置したことを特徴とする遊技機の演出装置。
【発明の詳細な説明】
【技術分野】
【０００１】
本発明は、パチンコ機やスロットマシン等の遊技機の演出装置に係り、特に、遊技機の盤面上で三次元的な動きをする可動役物を含む遊技機の演出装置に関するものである。
【背景技術】
【０００２】
パチンコ機に代表される遊技機においては、遊技者の興趣を惹くような趣向を凝らすために、遊技盤の中央部にＬＣＤ等からなる画像表示画面を配置すると共に、画像表示画面の近傍に可動役物を配置して遊技の演出を行うようにした中央役物装置が広く採用されている。可動役物はモータやソレノイドを駆動源として種々の運動を行うようになっており、その一例として、可動アームを画像表示画面の前方で左右方向に揺動させるようにした可動役物が従来より知られている（例えば、特許文献１参照）。
【０００３】
上記特許文献１に開示された可動役物では、Ｌ字状に形成された可動アームの揺動軸を遊技盤の前方に直交方向へ突出させると共に、この揺動軸を歯車列を介して遊技盤の裏面側に配設したモータの回転軸に連結し、モータを正逆両方向へ所定の角度範囲内で回転制御することにより、可動アームが揺動軸を支点として遊技盤の盤面と平行な面内に沿って揺動するようになっている。可動アームの先端側には装飾体が取り付けられており、この装飾体が可動アームの揺動運動に伴って画像表示画面の前方で左右方向へ往復移動（首振り運動）するため、画像表示画面の表示内容と可動アームの動きを関連させることによって遊技の演出効果を高めることができる。
【特許文献１】特開２００３−１９０４０１号公報
【発明の開示】
【発明が解決しようとする課題】
【０００４】
前述したように可動役物は遊技中の遊技者にとって興趣を惹くものであるため、可動役物の運動形態や移動方向には多種多様なバリエーションが求められており、例えば可動役物を遊技盤の盤面上で蝶の羽根のように開閉動作させて新規な動きを実現したいという要望がある。この場合、遊技盤とガラス扉で囲まれた狭い空間内で可動役物に三次元的な動きをさせる必要があるが、特許文献１に開示された可動役物のように、モータの回転方向と回転量を制御して可動アームを揺動させる駆動機構では、一対の羽根をパタパタと開閉動作させることが構造上難しいという問題がある。
【０００５】
本発明は、このような従来技術の実情に鑑みてなされたもので、その目的は、可動役物に遊技機の盤面上で三次元的な動きをさせることができる遊技機の演出装置を提供することにある。
【課題を解決するための手段】
【０００６】
上記の目的を達成するために、本発明による遊技機の演出装置は、遊技機の盤面に設けられた基台と、この基台に昇降可能に支持された駆動体と、前記基台に回転可能に支持された一対の回動リンクと、カム溝を有するスライド部材と、このスライド部材を前記駆動体の昇降方向に対して略直交方向へ往復移動させる駆動源とを備え、前記駆動体の一端部に設けた突起を前記カム溝に係合すると共に、前記駆動体の他端部に前記両回動リンクを回動可能に連結する構成とした。
【０００７】
このように構成された遊技機の演出装置では、ソレノイドやモータを駆動源としてスライド部材が直線的に往復移動すると、その移動がスライド部材のカム溝と駆動体の突起との係合部分で直交方向の動きに変換されることにより、駆動体が遊技機の盤面に設けられた基台に沿って昇降動作し、この駆動体の昇降動作に伴って一対の回動リンクが開閉動作するため、遊技機の盤面上で三次元的な動きをする可動役物を実現することができる。
【０００８】
上記の構成において、一対の回動リンクが駆動体を介して対向する位置で基台に回転可能に軸支されており、これら両回動リンクの一端側に設けられた突出片を駆動体に同一線上で軸支することにより、駆動体の昇降動作に伴って両回動リンクの他端側が近接離反するように構成にすると、一対の回動リンクを両者の連結部分を中心にスムーズに開閉動作させることができて好ましい。
【０００９】
また、上記の構成において、遊技機の盤面に設けられた基台が互いに略直交する方向へ延びる第１および第２のガイド孔を有し、駆動体が第１のガイド孔に挿入されると共に、スライド部材が第２のガイド孔に挿入されている構成にすると、共通の基台を用いて駆動体とスライド部材を略直交する２方向へ案内することができて好ましい。
【００１０】
また、上記の構成において、スライド部材の側方に駆動源であるモータを配置すると共に、スライド部材にその移動方向へ延びるラックを設け、モータによって回転されるピニオンをこのラックに噛合させると、モータを含めた駆動機構全体の奥行き寸法を短縮化することができて好ましい。
【００１１】
また、上記の構成において、一対の回動リンクに蝶の羽根を模した光透過性シートを付設すると共に、遊技機の盤面にこれら光透過性シートに光を照射する光源を配置すると、盤面上で恰も蝶が羽ばたくような動きを実現できると共に、光源から発せられた光が光透過性シートを透して遊技者に目視されるため、可動役物による演出効果をより一層高めることができて好ましい。
【発明の効果】
【００１２】
本発明による遊技機の演出装置は、モータ等を駆動源としてスライド部材が直線的に往復移動されると、その移動がスライド部材のカム溝と駆動体の突起との係合部分で直交方向の動きに変換されることにより、駆動体が遊技機の盤面に設けられた基台に沿って昇降動作し、この駆動体の昇降動作に伴って一対の回動リンクが開閉動作するため、遊技機の盤面上で三次元的な動きをする可動役物を実現することができる。
【発明を実施するための最良の形態】
【００１３】
発明の実施の形態について図面を参照して説明すると、図１は本発明の実施形態例に係るパチンコ機の斜視図、図２は該パチンコ機に備えられる遊技盤の正面図、図３は該遊技盤に配設された演出装置の平面図、図４は該演出装置を一方向から見た側面図、図５は該演出装置を他方向から見た側面図、図６は該演出装置の斜視図、図７は該演出装置に備えられる可動役物の斜視図、図８は該可動役物の平面図、図９は該可動役物の正面図、図１０は該可動役物の側面図、図１１は図１０のＡ−Ａ線に沿う断面図、図１２は該可動役物の分解斜視図、図１３は図８のＢ−Ｂ線に沿う断面図、図１４は該可動役物に備えられるスライド部材と駆動体の動作説明図、図１５は複数のスライド部材に設けられたカム溝の説明図、図１６は駆動体の突起とカム溝の係合関係を示すタイミングチャート、図１７は複数の可動役物の動作状態を示す斜視図である。
【００１４】
図１に示すように、本実施形態例に係るパチンコ機（遊技機）は、遊技場の島設備に設置される機枠１と、機枠１に扉状に開閉自在に取り付けられた前面枠２と、前面枠２に収容された後述する遊技盤３と、前面枠２の前面に扉状に開閉自在に取り付けられたガラス枠４と、前面枠２の下側に配設された受皿５を有する前面ボード６と、前面ボード６に取り付けられた発射ハンドル７等を具備している。
【００１５】
図２に示すように、前記遊技盤３はガイドレール８等で囲まれた遊技領域９を有しており、遊技者によって発射ハンドル７が回転操作されると、受皿５に貯留された遊技球が図示せぬ発射装置から遊技領域９に向けて打ち出されるようになっている。遊技領域９の中央部上方には液晶パネル（ＬＣＤ）等からなる画像表示画面１０が配設されており、この画像表示画面１０の図示右側方には複数（本実施形態例では３つ）の可動役物を有する演出装置１１が配設されている。また、画像表示画面１０の下方には、可動片を有する始動入賞口１２や開閉扉を有する大入賞口１３や複数の一般入賞口１４が配設されており、いずれの入賞口にも入賞しなかった遊技球は遊技領域９の最下端部に設けられたアウト口１５から遊技盤３の裏面側に排出されるようになっている。
【００１６】
図３〜図６に示すように、前記演出装置１１は合成樹脂製の支持ベース１６を備えており、この支持ベース１６は遊技盤３の凹所内に嵌め込まれて固定されている。支持ベース１６上には、蝶の姿を模した３つの可動役物１７，１８，１９と、これら各可動役物１７，１８，１９の駆動源であるモータ２０が搭載されており、以下の説明では、モータ２０に近いものから順に第１の可動役物１７、第２の可動役物１８、第３の可動役物１９と称することがある。モータ２０は支持ベース１６の起立壁１６ａにねじ止めされており、モータ２０の回転軸にはピニオン（小歯車）２１が取り付けられている。このピニオン２１は可動体２２の一側壁に刻設されたラック２２ａと噛合しており、モータ２０の回転に伴って可動体２２が支持ベース１６上を図３の矢印Ｐ１−Ｐ２へ往復移動するようになっている。
【００１７】
支持ベース１６は平面視弓形形状の載置面１６ｂを有しており、この載置面１６ｂは外周側から内周側に向かって下り勾配となると共に長手方向の中央部が膨らんだ非球面状の湾曲面となっている。載置面１６ｂにはその両周縁部に沿って一対の配線基板２３が敷設されており、これら配線基板２３には光源である複数のＬＥＤ２４が実装されている。また、載置面１６ｂには第１ないし第３の可動役物１７，１８，１９が長手方向に沿って一列に搭載されており、これら各可動役物１７，１８，１９は載置面１６ｂの湾曲形状に沿って画像表示画面１０側へ若干傾いた立体的な配置となっている。
【００１８】
第１ないし第３の可動役物１７，１８，１９は基本的に同様に構成されており、以下、第２の可動役物１８を代表例として可動役物の構成を詳細に説明する。図７〜図１２に示すように、この第２の可動役物１８は、支持ベース１６の載置面１６ｂに固定された基台２５と、基台２５に水平方向へ往復動可能に支持されたスライド部材２６と、基台２５に垂直方向へ往復動可能（昇降可能）に支持された駆動体２７と、駆動体２７の昇降動作に伴って開閉動作される一対の回動リンク２８，２９と、これら回動リンク２８，２９に取り付けられた一対の可動装飾体３０と、基台２５の上部に取り付けられた固定装飾体３１とによって構成されている。ただし、固定装飾体３１は図１２のみに図示され、図７〜図１１においては省略されている。
【００１９】
基台２５は、前後方向へ延びるガイド孔３２ａを有する一対の支持体３２と、上下方向へ延びるガイド溝３３ａを有する一対の軸受体３３とによって構成されており、両支持体３２はスナップ結合によって一体化されている。支持体３２のガイド孔３２ａと軸受体３３のガイド溝３３ａは互いに直交しており、ガイド溝３３ａの下端はガイド孔３２ａの上端中央部と連通している。両軸受体３３は互いのガイド溝３３ａを突き合わせた状態で両支持体３２上部に固定されており、各軸受体３３の上部には一対の軸孔３３ｂ，３３ｃがそれぞれ形成されている。
【００２０】
スライド部材２６は支持体３２のガイド孔３２ａに摺動可能に挿入された長尺体であり、その長手方向に沿う両端には連結片２６ａが形成されている。これら連結片２６ａは前述した支持ベース１６の載置面１６ｂと逆向きの勾配で傾斜しており、両者の傾斜角が相殺されることにより、連結片２６ａは遊技盤３の盤面とほぼ平行な面内に配置されるようになっている。また、スライド部材２６には上面を開口した細長形状の凹部２６ｂが形成されると共に、この凹部２６ｂを介して対向する両側壁にはカム溝３４が形成されている。このカム溝３４は、スライド部材２６の移動方向Ｓ（図１２参照）に沿って略平行に延びる直線部３４ａと、スライド部材２６の移動方向に対して傾斜する方向へ延びる傾斜部３４ｂとを有し、これら直線部３４ａと傾斜部３４ｂが交互に連続して移動方向Ｓと直交する方向への位相変化をもたらす形状に形成されている。
【００２１】
駆動体２７は軸受体３３のガイド溝３３ａに摺動可能に挿入された棒状体であり、駆動体２７の上端部には移動方向Ｓに沿って延びる一対の支軸２７ａが形成されている。また、駆動体２７の下端部には移動方向Ｓと直交する方向に延びる一対の突起２７ｂが形成されており、図１４に示すように、これら突起２７ｂは凹部２６ｂ内に挿入されてカム溝３４と係合している。これによりスライド部材２６がガイド孔３２ａに沿って前後方向へ往復移動すると、その移動がカム溝３４の傾斜部３４ｂと突起２７ｂの係合部分で垂直方向の動きに変換され、駆動体２７がガイド溝３３ａに沿って移動方向Ｓと直交する方向となる上下方向へ往復移動する。
【００２２】
一方の回動リンク２８は、軸受体３３の一方の軸孔３３ｂに挿入された軸部２８ａと、軸部２８ａの一端部から内方へ突出する突出片２８ｂと、軸部２８ａから外方へ突出するクリップ状の支持片２８ｃとを有しており、突出片２８ｂは駆動体２７の一方の支軸２７ａに回転可能に軸支されている。軸部２８ａは移動方向Ｓに沿って延びており、突出片２８ｂと支持片２８ｃは互いに逆向きに移動方向Ｓと直交する方向に延びている。他方の回動リンク２９は、軸受体３３の他方の軸孔３３ｃに挿入された軸部２９ａと、軸部２９ａの一端部から内方へ突出する突出片２９ｂと、軸部２８ａから外方へ突出するクリップ状の支持片２９ｃとを有しており、突出片２９ｂは駆動体２７の他方の支軸２７ａに回転可能に軸支されている。軸部２９ａは移動方向Ｓに沿って延びており、突出片２９ｂと支持片２９ｃは互いに逆向きに移動方向Ｓと直交する方向に延びている。これにより駆動体２７がガイド溝３３ａに沿って上下方向へ往復移動すると、両回動リンク２８，２９がそれぞれ軸部２８ａ，２９ａを中心に回転駆動され、両支持片２８ｃ，２９ｃが近接離反するように開閉動作する。
【００２３】
両回動リンク２８，２９の支持片２８ｃ，２９ｃには、そのクリップ状部分を弾性変形して挟み込むことによって蝶の羽根を模した可動装飾体３０が取り付けられており、支持片２８ｃ，２９ｃの先端部は可動装飾体３０の孔部３０ａに係止されている。図１３に示すように、これら可動装飾体３０は上層の光透過性シート３０ａと下層の光拡散シート３０ｂとの２層構造となっている。前述した各ＬＥＤ２４は可動装飾体３０の下方に配置されており、各ＬＥＤ２４から発せられた光は光拡散シート３０ｂで拡散された後、透過性シート３０ａを透して遊技者に目視されるようになっている。また、両回動リンク２８，２９の突出片２８ｂ，２９ｂの上方には蝶の胴体と頭部を模した固定装飾体３１が配置されており、この固定装飾体３１は前後の２カ所から下方に延びる取付片３１ａを有している。そして、これら取付片３１ａが軸受体３３に組み付けられることにより、固定装飾体３１は基台２５の上部に固定されている。したがって、駆動体２７の昇降動作に伴って両回動リンク２８，２９が固定装飾体３１の下方の軸部２８ａ，２９ａを中心に回転駆動されると、支持片２８ｃ，２９ｃに取り付けられた一対の可動装飾体３０が恰も羽ばたくように開閉動作する。
【００２４】
前述したように第１の可動役物１７と第３の可動役物１９も第２の可動役物１８と基本的な構成は同じであるが、図１５に示すように、各可動役物１７，１８，１９はそれぞれのスライド部材２６に設けられたカム溝３４の形状を異にしている。すなわち、第１ないし第３の可動役物１７，１８，１９のスライド部材２６に符号２６Ａ，２６Ｂ，２６Ｃを付し、これらスライド部材２６Ａ，２６Ｂ，２６Ｃのカム溝３４に符号３４Ａ，３４Ｂ，３４Ｃを付すと、各スライド部材２６Ａ，２６Ｂ，２６Ｃのカム溝３４Ａ，３４Ｂ，３４Ｃは、いずれも両端の直線部３４ａの間に傾斜部３４ｂと直線部３４ａが交互に連続する形状に形成されているが、途中の直線部３４ａの長さや数を異にしている。
【００２５】
具体的に説明すると、図１５（ａ）に示すように、第１の可動役物１７のスライド部材２６Ａのカム溝３４Ａは、図示左端に位置する下段側の直線部３４ａを始点として登り傾斜部３４ｂと上段側の直線部３４ａおよび下り傾斜部が交互に連続して右端下段側の直線部３４ａに至るようになっており、中央に位置する下段側の直線部３４ａを境にして左右対称形状に形成されている。また、図１５（ｂ）に示すように、第２の可動役物１８のスライド部材２６Ｂのカム溝３４Ｂは、図示左端に位置する下段側の直線部３４ａを始点として登り傾斜部３４ｂと上段側の直線部３４ａおよび下り傾斜部が交互に連続して右端上段側の直線部３４ａに至るようになっており、左側の登り傾斜部３４ｂから中央付近にかけて延びる上段側の直線部３４ａが第１の不感帯部３５となっている。さらに、図１５（ｃ）に示すように、第３の可動役物１９のスライド部材２６Ｃのカム溝３４Ｃは、図示左端に位置する下段側の直線部３４ａを始点として登り傾斜部３４ｂと上段側の直線部３４ａおよび下り傾斜部３４ｂを経て右端下段側の直線部３４ａに至るようになっており、左右両側の傾斜部３４ｂ間に跨って延びる上段側の直線部３４ａが第２の不感帯部３６となっている。
【００２６】
第１の不感帯部３５と第２の不感帯部３６はスライド部材２６Ｂ，２６Ｃの移動方向と略平行に延びており、図１６のタイミングチャートから明らかなように、第１の不感帯部３５はスライド部材２６Ａのカム溝３４Ａの左側の登り傾斜部３４ｂの終点から中央下段側の直線部３４ａの終点に至る範囲に形成され、第２の不感帯部３６はスライド部材２６Ａのカム溝３４Ａの左側の登り傾斜部３４ｂの終点から右方の上段側直線部３４ａの終点に至る範囲に形成されている。したがって、カム溝３４Ｂに係合する駆動体２７の突起２７ｂが第１の不感帯部３５内にある場合、スライド部材２６Ｂが前後方向へ往復移動しても当該駆動体２７は上下方向へ移動せず、同様に、カム溝３４Ｃに係合する駆動体２７の突起２７ｂが第２の不感帯部３６内にある場合、スライド部材２６Ｃが前後方向へ往復移動しても当該駆動体２７は上下方向へ移動しない。
【００２７】
第１の可動役物１７のスライド部材２６Ａの両端に形成された連結片２６ａのうち、手前側（モータ２０側）の連結片２６ａは可動体２２に回転自在に連結されており、可動体２２の往復移動に伴ってスライド部材２６Ａも同方向へ往復移動するようになっている。また、このスライド部材２６Ａの奥側の連結片２６ａは第１のリンクレバー３７の一端部に回転自在に連結されており、第１のリンクレバー３７の他端部は第２の可動役物１８のスライド部材２６Ｂの手前側の連結片２６ａに回転自在に連結されている。さらに、このスライド部材２６Ｂの奥側の連結片２６ａは第２のリンクレバー３８の一端部に回転自在に連結されており、第２のリンクレバー３８の他端部は第３の可動役物１９のスライド部材２６Ｃの手前側の連結片２６ａに回転自在に連結されている。これにより、モータ２０を駆動源として可動体２２が支持ベース１６上を図３の矢印Ｐ１−Ｐ２へ往復移動すると、第１ないし第３の可動役物１７，１８，１９の各スライド部材２６Ａ，２６Ｂ，２６Ｃと第１および第２のリンクレバー３７，３８とが湾曲した載置面１６ｂ上を一体的に往復移動し、それに伴って各スライド部材２６Ａ，２６Ｂ，２６Ｃのカム溝３４Ａ，３４Ｂ，３４Ｃに係合する駆動体２７が上下方向へ昇降動作するようになっている。ただし、各スライド部材２６Ａ，２６Ｂ，２６Ｃのカム溝３４Ａ，３４Ｂ，３４Ｃは互いの形状を異にしているため、後述するように、第１ないし第３の可動役物１７，１８，１９の各駆動体２７は対応するスライド部材２６Ａ，２６Ｂ，２６Ｃのカム溝３４Ａ，３４Ｂ，３４Ｃの形状に応じて個別に昇降動作される。
【００２８】
本実施形態例に係るパチンコ機の演出装置１１においては、遊技球が始動入賞口１２に入賞したとき、図示せぬ制御部に記憶された乱数発生器等によって大当たりの抽選を行い、その抽選結果に基づいてモータ２０を回転制御して第１ないし第３の可動役物１７，１８，１９を動作させることにより、画像表示画面１０の表示内容と各可動役物１７，１８，１９の動きを関連付けて遊技の演出効果が高められるようになっている。その際、第１ないし第３の可動役物１７，１８，１９が動作開始する前の初期状態において、各駆動体２７の突起２７ｂは図１６に示すタイミングチャートの「領域Ｉ」と「領域II」の間で対応するスライド部材２６Ａ，２６Ｂ，２６Ｃのカム溝３４Ａ，３４Ｂ，３４Ｃと係合しており、当該位置をホームポジションとしてモータ２０を正逆いずれかの方向へ回転することにより、各突起２７ｂがカム溝３４Ａ，３４Ｂ，３４Ｃ内を往復移動して駆動体２７を個別に昇降動作させ、それに伴って対応する可動装飾体３０を開閉動作させる。
【００２９】
以下、かかる第１ないし第３の可動役物１７，１８，１９の動作を図１６に示すタイミングチャートを参照しつつ説明する。まず、動作開始前のホームポジションにおいて、各駆動体２７の突起２７ｂはいずれも対応するカム溝３４Ａ，３４Ｂ，３４Ｃの上段側の直線部３４ａと係合しているため、各駆動体２７は軸受体３３のガイド溝３３ａに沿って基台２５の上昇位置へ移動しており、図９と図１１の実線で示すように、各駆動体２７の支軸２７ａに連結された回動リンク２８，２９は軸部２８ａ，２９ａを中心に外向きに回転駆動され、回動リンク２８，２９の支持片２８ｃ，２９ｃに取り付けられた一対の可動装飾体３０が最大角度に開放されている。したがって、図３〜図６に示すように、第１ないし第３の可動役物１７，１８，１９は、動作開始前のホームポジションにおいて恰も３匹の蝶が羽根を拡げた状態となっている。
【００３０】
この状態でモータ２０が例えば正方向へ所定量だけ回転すると、その回転がピニオン２１からラック２２ａを介して可動体２２に伝達されるため、可動体２２が支持ベース１６上を図３の矢印Ｐ１方向（順方向）へ移動し、それに伴って第１ないし第３の可動役物１７，１８，１９の各スライド部材２６Ａ，２６Ｂ，２６Ｃと第１および第２のリンクレバー３７，３８が順方向へ一体的に移動する。その結果、各駆動体２７の突起２７ｂと対応するカム溝３４Ａ，３４Ｂ，３４Ｃとの係合位置が図１６中の「領域II」内で変化し、この間で第１の可動役物１７に備えられる駆動体２７の突起２７ｂはスライド部材２６Ａのカム溝３４Ａの上段側直線部３４ａから傾斜部３４ｂを経て下段側直線部３４ａへと移行する。これにより、駆動体２７が軸受体３３のガイド溝３３ａに沿って下降し、それに伴って回動リンク２８，２９が軸部２８ａ，２９ａを中心に内向きに回転駆動されるため、図９と図１１の２点鎖線で示すように、一対の可動装飾体３０が開放位置から閉じる方向へ回転する。
【００３１】
また、この「領域II」内において、第２の可動役物１８に備えられる駆動体２７の突起２７ｂはスライド部材２６Ｂのカム溝３４Ｂの上段側直線部３４ａ内を移行し、前述したように当該直線部３４ａは第１の不感帯部３５となっているため、第２の可動役物１８の駆動体２７はスライド部材２６Ｂの移動に拘わらず上昇位置に停止したままで下降しない。同様に「領域II」内において、第３の可動役物１９に備えられる駆動体２７の突起２７ｂはスライド部材２６Ｃのカム溝３４Ｃの上段側直線部３４ａ内を移行し、この直線部３４ａは第２の不感帯部３６となっているため、第３の可動役物１９の駆動体２７はスライド部材２６Ｃの移動に拘わらず上昇位置に停止したままで下降しない。したがって、モータ２０を正逆両方向へ回転制御して各スライド部材２６Ａ，２６Ｂ，２６Ｃを「領域II」内で往復移動させれば、図１７（ａ）に示すように、第１の可動役物１７だけを蝶の羽根が羽ばたくように開閉動作させることができ、この間、第２および第３の可動役物１８，１９は蝶の羽根を拡げたままの状態を維持することとなる。
【００３２】
しかる後、モータ２０を正方向へ回転制御して各スライド部材２６Ａ，２６Ｂ，２６Ｃがさらに矢印Ｐ１方向（順方向）へ移動し、各駆動体２７の突起２７ｂと対応するカム溝３４Ａ，３４Ｂ，３４Ｃとの係合位置が「領域II」を越えて「領域III」まで達すると、この「領域III」内において、第１の可動役物１７に備えられる駆動体２７の突起２７ｂはカム溝３４Ａの下段側直線部３４ａから傾斜部３４ｂを経て上段側直線部３４ａへと移行する。これにより、第１の可動役物１７の駆動体２７が下降位置から上昇して回動リンク２８，２９を外向きに回転駆動するため、一対の可動装飾体３０は閉じた位置から開放する方向へ回転する。また、この「領域III」内において、第２の可動役物１８に備えられる駆動体２７の突起２７ｂはカム溝３４Ｂの上段側直線部３４ａ（第１の不感帯部３５）から傾斜部３４ｂを経て下段側直線部３４ａへと移行し、この間で該駆動体２７が上昇位置から下降して回動リンク２８，２９を内向きに回転駆動するため、一対の可動装飾体３０は開放位置から閉じる方向へ回転する。一方、この「領域III」内において、第３の可動役物１９に備えられる駆動体２７の突起２７ｂはカム溝３４Ｃの上段側直線部３４ａ内を移行し、この直線部３４ａは依然として第２の不感帯部３６となっているため、第３の可動役物１９の駆動体２７はスライド部材２６Ｃの移動に拘わらず上昇位置に停止したままで下降しない。したがって、モータ２０を正逆両方向へ回転制御して各スライド部材２６Ａ，２６Ｂ，２６Ｃを「領域III」内で往復移動させれば、図１７（ｂ）に示すように、第１の可動役物１７と第２の可動役物１８を蝶の羽根が羽ばたくように交互に開閉動作させることができ、この間、第３の可動役物１９は蝶の羽根を拡げたままの状態を維持することとなる。
【００３３】
その後、モータ２０を正方向へ回転制御して各スライド部材２６Ａ，２６Ｂ，２６Ｃがさらに順方向へ移動し、各駆動体２７の突起２７ｂと対応するカム溝３４Ａ，３４Ｂ，３４Ｃとの係合位置が「領域III」を越えて「領域IV」まで達すると、この「領域IV」内において、第１の可動役物１７に備えられる駆動体２７の突起２７ｂは再びカム溝３４Ａの上段側直線部３４ａから傾斜部３４ｂを経て下段側直線部３４ａへと移行する。これにより、第１の可動役物１７の駆動体２７が上昇位置から下降して回動リンク２８，２９を内向きに回転駆動するため、一対の可動装飾体３０は開放位置から閉じる方向へ回転する。また、この「領域IV」内において、第２の可動役物１８に備えられる駆動体２７の突起２７ｂはカム溝３４Ｂの下段側直線部３４ａから傾斜部３４ｂを経て上段側直線部３４ａへと移行し、第３の可動役物１９に備えられる駆動体２７の突起２７ｂはカム溝３４Ｃの上段側直線部３４ａ（第２の不感帯部３６）から傾斜部３４ｂを経て下段側直線部３４ａへと移行するため、第２の可動役物１８の駆動体２７が上昇して回動リンク２８，２９を外向きに回転駆動すると共に、第３の可動役物１９の駆動体２７が下降して回動リンク２８，２９を内向きに回転駆動する。したがって、モータ２０を正逆両方向へ回転制御して各スライド部材２６Ａ，２６Ｂ，２６Ｃを「領域IV」内で往復移動させれば、図１７（ｃ）に示すように、第１および第３の可動役物１７，１９と第２の可動役物１８とを蝶の羽根が羽ばたくように交互に開閉動作させることができる。
【００３４】
また、ホームポジションでモータ２０を上記と反対の逆方向へ回転すると、可動体２２が支持ベース１６上を図３の矢印Ｐ２方向へ移動し、それに伴って第１ないし第３の可動役物１７，１８，１９の各スライド部材２６Ａ，２６Ｂ，２６Ｃと第１および第２のリンクレバー３７，３８が逆方向へ一体的に移動する。その結果、各駆動体２７の突起２７ｂと対応するカム溝３４Ａ，３４Ｂ，３４Ｃとの係合位置が「領域Ｉ」内で変化し、この間で各駆動体２７の突起２７ｂはいずれもカム溝３４Ａ，３４Ｂ，３４Ｃの上段側直線部３４ａから傾斜部３４ｂを経て下段側直線部３４ａへと移行するため、各駆動体２７が上昇位置から下降して回動リンク２８，２９を内向きに回転駆動する。したがって、モータ２０を正逆両方向へ回転制御して各スライド部材２６Ａ，２６Ｂ，２６Ｃを「領域Ｉ」内で往復移動させれば、図１７（ｄ）に示すように、第１ないし第３の可動役物１７，１８，１９を蝶の羽根が羽ばたくように同時に開閉動作させることができる。
【００３５】
このように構成された本実施形態例に係るパチンコ機の演出装置１１においては、遊技盤３に固定された支持ベース１６の載置面１６ｂに基台２５を立設し、この基台２５にスライド部材２６と駆動体２７を互いに直交する方向へ往復動可能に支持すると共に、スライド部材２６に形成したカム溝３４に駆動体２７の突起２７ｂを係合させているので、モータ２０を駆動源としてスライド部材２６が直線的に往復移動すると、その移動がカム溝３４と突起２７ｂとの係合部分で直交方向の動きに変換されて駆動体２７が昇降動作する。そして、基台２５の上部に一対の回動リンク２８，２９を回転可能に軸支すると共に、両回動リンク２８，２９の内方側に設けられた突出片２８ｂ，２９ｂを駆動体２７の支軸２７ａに同一線上で軸支しているので、駆動体２７の昇降動作に伴って両回動リンク２８，２９の外方側に取り付けられた可動装飾体３０を開閉動作させることができ、遊技機の盤面上で蝶が羽ばたきするような三次元的な動きをする可動役物１７，１８，１９を実現することができる。
【００３６】
また、支持ベース１６の起立壁１６ａにモータ２０を取り付け、このモータ２０の回転軸に固着したピニオン２１を可動体２２の一側部に刻設されたラック２２ａに噛合すると共に、この可動体２２をスライド部材２６に連結してあるので、駆動源であるモータ２０を可動体２２やスライド部材２６の移動方向の側方に配置することができ、モータ２０を含めた駆動機構全体の奥行き寸法を短縮化することができる。
【００３７】
また、可動役物１７，１８，１９の構成部材である可動装飾体３０を上層の光透過性シート３０ａと下層の光拡散シート３０ｂとの２層構造となし、支持ベース１６の載置面１６ｂに敷設された配線基板２３上に複数のＬＥＤ２４を実装することにより、各ＬＥＤ２４から発せられた光が光拡散シート３０ｂで拡散された後、透過性シート３０ａを透して遊技者に目視されるようになっているので、可動役物１７，１８，１９による演出効果をより一層高めることができる。
【００３８】
なお、上記実施形態例では、１つのモータ２０を駆動源として第１ないし第３の可動役物１７，１８，１９を動作させる場合について説明したが、モータ２０によって駆動される可動役物の数は３つに限定されず、例えば第１の可動役物１７に相当する単品の可動役物や、第１および第２の可動役物１７，１８に相当する２連の可動役物でも良く、あるいは第３の可動役物１９の奥側に同様の可動役物を連結して４連以上の可動役物とすることも可能である。
【００３９】
また、上記実施形態例では、可動役物１７，１８，１９の駆動源としてモータ２０を使用しているが、１つの可動役物のみを動作させる場合はモータ２０の代わりにソレノイドを用いることも可能である。
【００４０】
また、上記実施形態例では、本発明による演出装置をパチンコ機に適用した場合について説明したが、本発明はスロットマシン等の他の遊技機にも適用可能である。
【図面の簡単な説明】
【００４１】
【図１】本発明の実施形態例に係るパチンコ機の斜視図である。
【図２】該パチンコ機に備えられる遊技盤の正面図である。
【図３】該遊技盤に配設された演出装置の平面図である。
【図４】該演出装置を一方向から見た側面図である。
【図５】該演出装置を他方向から見た側面図である。
【図６】該演出装置の斜視図である。
【図７】該演出装置に備えられる可動役物の斜視図である。
【図８】該可動役物の平面図である。
【図９】該可動役物の正面図である。
【図１０】該可動役物の側面図である。
【図１１】図１０のＡ−Ａ線に沿う断面図である。
【図１２】該可動役物の分解斜視図である。
【図１３】図８のＢ−Ｂ線に沿う断面図である。
【図１４】該可動役物に備えられるスライド部材と駆動体の動作説明図である。
【図１５】複数のスライド部材に設けられたカム溝の説明図である。
【図１６】駆動体の突起とカム溝の係合関係を示すタイミングチャートである。
【図１７】複数の可動役物の動作状態を示す斜視図である。
【符号の説明】
【００４２】
３  遊技盤
９  遊技領域
１０  画像表示画面
１１  演出装置
１６  支持ベース
１６ａ  起立壁
１６ｂ  載置面
１７，１８，１９  可動役物
２０  モータ（駆動源）
２１  ピニオン
２２  可動体
２２ａ  ラック
２３  配線基板
２４  ＬＥＤ（光源）
２５  基台
２６，２６Ａ，２６Ｂ，２６Ｃ  スライド部材
２６ａ  連結片
２６ｂ  凹部
２７  駆動体
２７ａ  支軸
２７ｂ  突起
２８，２９  回動リンク
２８ａ，２９ａ  軸部
２８ｂ，２９ｂ  突出片
２８ｃ，２９ｃ  支持片
３０  可動装飾体
３１  固定装飾体
３０ａ  光透過性シート
３０ｂ  光拡散シート
３２  支持体
３２ａ  ガイド孔
３３  軸受体
３３ａ  ガイド溝
３３ｂ，３３ｃ  軸孔
３４，３４Ａ，３４Ｂ，３４Ｃ  カム溝
３４ａ  直線部
３４ｂ  傾斜部
３５  第１の不感帯部
３６  第２の不感帯部
３７  第１のリンクレバー
３８  第２のリンクレバー
【図１】
0005096891.tif 000002
【図２】
0005096891.tif 000003
【図３】
0005096891.tif 000004
【図４】
0005096891.tif 000005
【図５】
0005096891.tif 000006
【図６】
0005096891.tif 000007
【図７】
0005096891.tif 000008
【図８】
0005096891.tif 000009
【図９】
0005096891.tif 000010
【図１０】
0005096891.tif 000011
【図１１】
0005096891.tif 000012
【図１２】
0005096891.tif 000013
【図１３】
0005096891.tif 000014
【図１４】
0005096891.tif 000015
【図１５】
0005096891.tif 000016
【図１６】
0005096891.tif 000017
【図１７】
0005096891.tif 000018